(57)【要約】  本発明は、抵抗の、及び／または容量性の入力インターフェース上で少なくとも１つのタッチイベントを始動させるシステムに関する。前記システムは、少なくとも１層の電気的に非導電性の媒体を備え、接触面は、幾何学的な形状、及び／又は線として媒体に存在し、前記媒体は前記入力インターフェースと接触する。
2015509225.tif 000002
【特許請求の範囲】
【請求項１】
容量性の、及び／または抵抗の入力インターフェースを有する装置上で少なくとも１つのタッチイベントを始動させるためのシステムであって、前記システムは、少なくとも１層の電気的に非導電性の媒体を備え、前記媒体は、それの上に幾何学的な形状の形で存在するタッチ領域を有し、前記媒体は前記入力インターフェースと接触し、前記媒体は、プラスチック、紙、カード、ガラス、繊維、またはこれらの組み合わせからなるグループから選択された材料である、システム。
【請求項２】
前記タッチ領域のオペレータ制御に関連する１つの情報は前記媒体及び／または前記電気器具に存在する、請求項１に記載のシステム。
【請求項３】
前記幾何学的な形状及び／または線は、追加して、または減じて実現される、請求項１または２に記載のシステム。
【請求項４】
前記電気的に非導電性の媒体は、それの上に存在する電気的に導電性の領域を有する、先行する請求項の１つ以上に記載のシステム。
【請求項５】
複数の層の前記電気的に非導電性の媒体は、特に互いに隣接して、かつ／又は互いの上方に、組み合わせて、前記入力インターフェースと接触する、先行する請求項の１つ以上に記載のシステム。
【請求項６】
前記媒体及び／または前記入力インターフェースはオペレータ制御要素を有する、先行する請求項の１つ以上に記載のシステム。
【請求項７】
少なくとも１つの位置決め手段は前記媒体に、または前記媒体の中に存在する、先行する請求項の１つ以上に記載のシステム。
【請求項８】
前記媒体は、以下のグループから選択された触覚の、視覚の、触知性のオペレータ制御要素を有する、先行する請求項の１つ以上に記載のシステム。
ａ．前記媒体の材料の表面構造の変化、
ｂ．前記媒体のリリーフ及び／またはエンボス、
ｃ．異なる材料、
ｄ．印刷された領域、
ｅ．切り欠き、
ｆ．前記媒体からのパンチング、及び／または
ｇ．穿孔。
【請求項９】
オペレータ制御要素、位置決め手段、及び／または前記タッチ領域は少なくとも１層の電気的に導電性の材料を有する、先行する請求項の１つ以上に記載のシステム。
【請求項１０】
以下のステップを備える、入力インターフェースの少なくとも１つのタッチイベントを始動させる方法。
ａ．少なくとも１層の電気的に非導電性の媒体を前記入力インターフェースのタッチセンサー領域と接触させ、
ｂ．層に存在する少なくとも１つの幾何学的形状が、電気的に導電性の、または非導電の手段を用いてタッチされ、
ｃ．少なくとも１つのタッチイベントが前記入力インターフェースで始動される。
【請求項１１】
以下のステップを備える、入力インターフェースの少なくとも１つのタッチイベントを始動させる方法。
ａ．請求項１から９の１つ以上に記載の少なくとも１層の前記媒体を入力インターフェースのタッチセンサー領域と接触させ、
ｂ．少なくとも１つのタッチイベントが導電領域を用いて前記入力インターフェースで始動され、
ｃ．前記媒体の前記導電領域が認識され、
ｄ．オペレータ制御要素が前記入力インターフェースの前記タッチセンサー領域に位置合わせされ、
ｅ．前記オペレータ制御要素の機能が起動され、
ｆ．さらに少なくとも１つもタッチイベントが、前記入力インターフェースの前記タッチセンサー領域でユーザーによって始動される。
【請求項１２】
前記入力インターフェースを有する電気器具上で、アクション及び／またはイベントを始動させる、請求項１０または１１に記載の方法。
【請求項１３】
タッチは静的に、動的に、一度に、繰り返しで、同時に、及び／または時間をかけてずらしていくやり方で実行される、先行する請求項の１つ以上に記載の方法。
【請求項１４】
タッチされるタッチ領域、及び前記タッチの順番が前記入力インターフェース及び／または前記媒体によって示される、先行する請求項の１つ以上に記載の方法。
【請求項１５】
前記入力インターフェースを有する電気器具上でアクション及び／またはイベントを始動させる、請求項１から９に記載のシステムの使用。
【請求項１６】
前記媒体、及び／または前記電気器具がタッチされる領域、及び前記タッチの順番／タイプ／ジェスチャーを示す、請求項１５に記載の使用。
【発明の詳細な説明】
【技術分野】
【０００１】
本発明は、容量性の入力インターフェース、及び／または抵抗の入力インターフェースを有する装置上で少なくとも１つのタッチイベント(touch event)を始動させるシステムに関する。前記システムは、少なくとも１層の電気的に非導電性の媒体を備え、前記媒体は、幾何学的形状の形で存在するタッチ領域を有し、前記媒体は前記入力インターフェースと接触する。加えて、本発明は、入力インターフェースを有する電気器具上でアクション(action)、及び／またはイベント(event)を始動せる方法に関する。
【背景技術】
【０００２】
先行技術には印刷媒体に印刷され電気器具によって読み取ることができるコードが記述されている。ある知られたコードは、例えばタグに関して、幅広い実施形態に見出されるバーコードである。
【０００３】
バーコードは、アプリケーションに応じて、（例えばオフセット印刷、フレキソ印刷、または凹版印刷のような）従来の印刷方法を用いて作成されるか、または（とりわけ、革印刷方法、直接熱印刷方法(direct thermal printing methods)、熱転写印刷方法、またはインクジェット印刷方法を用いて）必要とされるとき、個々に作成される。ほとんどコピーできず、最終的にコピーできない単なるランダムなコードである、フィンガーライン(finger line)のような、疑似確率的（一見したところランダム）であり、不規則なバーコードや疑似確率的（一見したところランダム）な点のコードもある。２つのバーの幅を有する１次元バーコードタイプと、複数のバーの幅を有する１次元バーコードタイプの両方が存在する。バーコードは、場合によっては、標準化された、ある最低限の高さを有するべきである。さらに、狭いバーと広いバーの幅の比率も標準化されている。フィールド(field)は、コードの前後に空白（コードを正確に解読できるようにするために、静かな領域(quiet zone)として知られるもの）のまま残ることも必要である。彼自身のコードを規定することは、提供者に対してオープンである。従って、既に規定された所有者の幾何学的コードの多様性は大きい。全ての考えられる方法を使って困難なしに常に特定が可能である。暗号化方法の質は、汚れについての適切なリーダーの利用可能性、使用の相互運用性(interoperability)、及びコードの構造安定性(robustness)、また、次第に重要になっている偽造に対するセキュリティにおいて見出すことができる。
【０００４】
物に印刷された別のコードは、ＱＲ(quick response)コードである。ＱＲコードは、暗号化されたデータの２進法の表示である、黒点と白点でできた四角形のマトリックスである。四角の４つの角のうちの３つの特別なマークは方向付けを規定する。ＱＲコードのデータは、エラー訂正コードによって保護されている。その結果として、コードの３０％までの損失が許容され、コードを読み取り、解読することができる。バーコードと同様に、ＱＲコードは、全てのポピュラーな印刷方法を用いて印刷することができる。しかしながら、実行できる最も高いコントラストが選択されることを保証するために、（バーコードに関しては）気を付けるべきである。そうでなければ、コードを完全に捕捉することができないからである。コードは、カラーで、または多重層で印刷することも同様に考えられる。しかしながら、コードが、ハーフトーンのように、またはラインのイメージのように印刷され、均一なコントラストを有することを保証するために、気を付けなければならない。
【０００５】
ＱＲコードとバーコードの両コードは、適切なリーダーを用いて読み取ることができる。先行技術には、携帯電話を用いてコードを読み取ることができる方法が記述されている。この場合、コードを解読する電気器具の特別な１つのソフトウェアを有する電気器具によって、コードが撮影されることを必要とする。多くの携帯電話及びＰＤＡは、一体化されたカメラ、及びＱＲコードを解釈できる（「モバイルタギング(mobile tagging)としても知られる」）１つのソフトウェアを有する。例として、コードは、定期刊行物または情報シートの中で暗号化された形のウェブアドレスを示すために使用できる。この方法の利点は、比較的面倒なタイピングを必要としない点である。ＵＲＬに加えて、ＱＲコードは、電話番号、住所、情報を与えるテキスト、プレミアムＳＭＳ、Ｖカード、ＷＬＡＮアクセスデータ、あるいはジオデータ(geodata)を含めることもできる。
【０００６】
先行技術に記載されたリーダーすなわち装置は、個々のアプリケーションに対してのみ常に適合しており、広く使用することはできない。さらに、コードを最初に評価できるように、リーダーまたは装置は、インターフェースを介して、データプロセス媒体に接続される必要がある。従って、リーダーの拡張、及び受け入れは比較的乏しく、リーダーを購入するための追加のコストを必要とする。
【０００７】
公知のコードの不利な点は、それらが、例えば、製品または広告媒体上で視覚的スペースを占める情報を望んだときにコピーできる、システムの典型的なハンディキャップと結び付く点であり、十分に良い品質で個別化することが難しい点である。そして、情報の正確な捕捉及び読み取りを複雑化するか、または完全に阻止するほこり、引っかき傷、光の状態等により、コードと捕捉ユニットとの間で視野が一直線であることが必要とされる。
【０００８】
携帯電話を用いてコードを撮影することは、多数の不利な点を有する。市販されている全ての携帯電話がカメラを有しているとは限らない。さらに、印刷媒体またはカメラにコードの読み取りを複雑化するか、または阻止する汚れがある場合、撮影は、適度に明るい条件下でのみ可能である。
【先行技術文献】
【特許文献】
【０００９】
【特許文献１】米国特許出願公開第２０１０／００６０６０８号明細書
【発明の概要】
【００１０】
従って、本発明の目的は、コードを読み取ることができ、先行技術の不利な点または欠点を有しないシステムまたは方法を提供することである。
【００１１】
目的は、独立請求項によって達成される。望ましい実施形態は、下位請求項で見つけることができる。
【００１２】
従って、容量性の、及び／または抵抗の入力インターフェースを有する装置上で少なくとも１つのタッチイベントを始動させるシステムが記載されている。前記システムは、少なくとも１層の電気的に非導電性の媒体を備え、前記媒体は、幾何学的形状の形で存在するタッチ領域を有し、前記媒体は前記入力インターフェースと接触する。前記媒体は、プラスチック、紙、カード、ガラス、繊維、またはこれらの組み合わせからなるグループから選択された材料である。本発明の意図の範囲内では、入力インターフェースは、入力機能、または入力電気器具、特に入力を受け、処理する手段を意味する。本発明の意図の範囲内では、入力インターフェースは、入力用の電気器具（例えばタッチパッド）だけでなく、出力及び入力の電気器具（例えばタッチスクリーン）として使用される電気器具を含む。タッチスクリーンは、エリアセンサとして当業者に付加的に知られている。本発明の意図の範囲内では、用語は類似的に使用されている。オペレータ制御要素は、望ましくはタッチ領域の形であってもよい。加えて、オペレータ制御要素は、実在のオペレータ制御要素、及びソフトウェアのオペレータ制御要素を包含することが有利である。
【００１３】
実在のオペレータ制御要素は、例えばプッシュボタン、ロッカースイッチ、制御ホイール、及びスライドコントロールのような従来の入力器具を有する。この場合、実在のオペレータ制御要素は、コンピュータをベースにしたオペレータ制御要素の例であると考えられている。
【００１４】
ソフトウェアのオペレータ制御要素は、グラフィカルユーザーインターフェースの一部分であり、これらを操作できるようにする。それらは、しばしば、対話式のモジュールとして記述され、制御要素またはウィジェットとして言及される。この場合、ウィジェットは、その外観（形状）及びその動作によって特徴付けられるウィンドウで囲まれた意思疎通要素(interaction element)として規定されている。
【００１５】
実在のオペレータ制御要素に対する利点の例は、以下の通りである。
・動的なデザイン
・アクティブ、かつ反応が速い(reactive)
・見ればすぐに分かる機能
・大きく複雑な機能性
・機能の点で最適化されている
【００１６】
ＧＵＩ（Graphical User Interface）の内部のオペレータ制御要素の例は、ボタン、テキスト入力フィールド、またはスクロールバーである。
【００１７】
オペレータ制御要素は、位置決め手段と混同されるべきではない。２つの関係は、オペレータ制御要素の位置が、例えば、位置決め手段からのデータから、トラッキングによって確定される点である。この場合、トラッキングは、拡張された実在のシステムまたは混合された実在のシステムの重要な部分である。両方のシステムでは、物理的な環境が仮想の情報または特性とともに拡張され、実在の物体がデジタルの物体に結合される。
【００１８】
接触させるアクションは入力手段によって入力インターフェースと媒体の間の操作的な接触を設定する。本発明の意図の範囲内では、入力インターフェースの効果が媒体によって得られるように、操作的な接触は媒体を入力インターフェースに近接させることを記述する。近接させるというアクションは、特に、媒体と入力インターフェースの間の０〜２センチの距離を意味する。本発明の意図の範囲内では、入力インターフェースは、容量性、及び／又は抵抗のデザインであることが望ましく、インターフェースは、できれば電気器具の一部分である。
【００１９】
幾何学的形状、及び／または線は、印刷された媒体、特に誘電性の媒体の上に置くことができる。幾何学的形状、及び／または線は、望ましくは、点、バー、曲線、領域、及び／またはこれらの組み合わせを有する。当業者は、本発明の開示に基づいて、配置される線または形状が、コーナーの点、及び／又は曲線によって規定されたソリッド領域、例えば長方形、円、または同様の図形であってもよい点を認識する。これらの形状の部分的な関係（方向付け、数、アライメント(alignment)、距離、及び／又は位置）、及び／又はソリッドエリア形状は、望ましくは、入力手段によってタッチされると、入力インターフェース上で１つ以上のタッチイベント、望ましくはアクションまたはイベントを始動させる１つの情報である。
【００２０】
本発明の意図の範囲内では、点の形であってもよい、形状及び／又は線は、特に、ガイダンスまたはオペレータ制御要素として言及される。本発明のある望ましい実施形態では、連続したタッチ領域は、媒体及び／又は電気器具（特に入力インターフェース）上でガイダンスとして存在する。タッチ領域のオペレータ制御に関連する１つの情報は、媒体上に存在することが望ましく、本発明の意図の範囲内では、情報は、特に、媒体にタッチするガイダンスとしてユーザーによって使用される連続した数、及びテキストでの説明を意味することが望ましい。入力インターフェースは、望ましくは、このガイダンス（薄い媒体の照明が、特に有利であり、極めて単純な取扱いと良好な位置決めを可能にする）の後ろに配置される。ユーザーは、入力手段によって、ガイダンス（すなわち、形状及び／又は線）をタッチし、タッチイベントを発生させ、入力インターフェース、または入力インターフェースを備える電気器具上でイベント及び／又はアクションを始動させる。媒体は、入力インターフェースを有する電気器具の側面と接触させることが望ましい。
【００２１】
幾何学的形状及び/又は線は、望ましくは、媒体上で追加して、かつ／又は減じて認識される。すなわち、形状及び／又は線は、増やす方法によって、媒体に配置されることが望ましい。形状及び／又は線は、減らす方法によって作成されることが望ましい。代案としては、前記方法が組み合わされることも考えられる。当業者は、これらの方法をコンテンツ(content)で満たすことができ、それらが本発明にかかるシステムにどのように適用されることを必要とするかを知っている。さらに、当業者は、増やす方法が例えば印刷方法を含み、減らす方法が例えばパンチングを含むことを知っている。この場合、媒体または層上に幾何学的な形状及び／又は線を配置するために、凸版印刷方法、凹版印刷方法、フラットスクリーン印刷方法、シルクスクリーン印刷方法、または電子印刷方法を含む、当業者に知られる印刷方法を使用することが可能である。
【００２２】
電気的に非導電性の媒体は、それに存在する電気的に導電性の領域を付加的に有することが望ましい。これらの領域は、媒体上の幾何学的形状及び/又は線として、同様に存在してもよい。最上層が、媒体（またはそれの上に存在する層）上に配置されていることは有利である。最上層は、当業者に知られる材料（特にプラスチックまたは紙）からなっており、特に、媒体又は層を保護するために使用することができる。
【００２３】
ユーザーは、例えば少なくとも１つの点をタッチすることによって、またはマルチタッチの電気器具の場合、複数の点を同時にタッチすることによって、印刷されたガイダンスに従うことができる。これによって得られる効果は、例えばタッチスクリーンのような入力インターフェースの入力である。入力インターフェースを実装する電気器具上のプログラムすなわちアプリケーションは、媒体（特に誘電体）を通して前記入力を捕捉し、タッチイベント、望ましくはイベントまたはアクションを始動させるか、または解釈する。
【００２４】
媒体は、データ処理システムに割り当てることができるし、あるいはデータ処理システムによって、望ましくは入力インターフェースとともにアクションを始動させることができる。本発明の意図の範囲内では、イベントは、特に、アクションによって始動されるもの、従って望ましくはアプリケーション内の状態変化を意味する。これらのイベントは、例えば、ユーザーの入力やシステムのイベントであってもよい。システムは、望ましくは、入力インターフェースを有する電気器具上でアクション及び／又はイベントを始動させるために使用される。媒体の情報は、望ましくはコードの形で存在する。入力インターフェースは、媒体上に存在するコードを解釈し、望ましくはウェブアプリケーションまたはプログラムの内部でアクションを始動させる。
【００２５】
ウェブアプリケーションまたはプログラムは、入力インターフェース上の媒体によって、始動させることが可能である。すなわち、媒体または媒体を通じた入力は、望ましくは電気器具上でプログラムまたはウェブアプリケーションを始動させる。本発明の意図の範囲内では、入力インターフェースの入力は、特に、タッチイベントまたはタッチ入力として言及される。システムは、望ましくは入力インターフェース上でタッチイベントを入力するために使用される。
【００２６】
望ましいシステムが、時間をかけてずらして(in a manner staggered over time)実行される入力によって、シングルタッチの電気器具上で比較的高いデータ密度を作るために使用できる点は、全体として驚くべきことであった。本発明の意図の範囲内では、シングルタッチの電気器具は、特に、シングルタッチのみ処理でき、マルチタッチを処理できない入力インターフェースを意味する。
【００２７】
加えて、システムは、指または適切な入力タッチペンを使用した入力に起因し、それによって特定のデータ入力を実現する、タッチイベントを入力する動的な動きのために使用できる。例として、新聞広告は、普通のインクで印刷できる。入力インターフェースは印刷された媒体と接触し、ユーザーが形状及び／又は線をタッチするとき、入力インターフェース上のタッチイベントと、アクション、及び／又はイベントとを始動させる幾何学的形状及び／又は線（すなわちガイダンス）は、広告に印刷されている。新聞広告のレイアウトは、ガイダンスの統合によって、分断されていない。知られたコードが広告の外観を決定的に変更するので、これは、先行技術に対して考えられる利点である。
【００２８】
位置決め手段は、入力インターフェース上で媒体の位置決めを可能にする、媒体上に存在するか、または媒体中に存在することが望ましい。この場合、フレーム（完全または部分的なフレーム）またはリファレンスの点が望ましい。位置決め手段は、全くエラーなく使用できるように、入力インターフェース上の媒体の最適な位置決めを行うために使用することができる。入力インターフェース及び／又は媒体が１つ以上の位置決め手段を有することは有利である。
【００２９】
位置決め手段は、触知性の(tactile)、触覚の(haptic)、視覚の、聴覚の、電気的に導電性の、あるいは機械的な手段であってもよい。例として、媒体は、媒体を入力インターフェースの特別な位置に配置する位置決め手段として、１つの縁を有する。位置決め手段としての縁は、電気器具に有利に隣接する。入力インターフェースは、例えば、媒体が上に横たえられる、すなわち置かれることを必要とする、位置決め手段またはオペレータ制御要素として、位置またはフィールドを視覚的に表示することが望ましい。これにより、媒体の使用をユーザーにとって実質的に単純化することができる。
【００３０】
ある望ましい実施形態では、媒体は、以下からなるグループから選択された、触覚の、視覚の、聴覚の、あるいは触知性のオペレータ制御要素を備える。
ａ．媒体の材料の表面構造の変化
ｂ．媒体のレリーフ(relief)及び／またはエンボス(embossment)
ｃ．異なる材料
ｄ．印刷された領域
ｅ．切欠き
ｆ．媒体からのパンチング、及び／または
ｇ．穿孔
【００３１】
しかしながら、媒体及び／または入力インターフェースがオペレータ制御要素を有するならば、有利である。動的なアライメントが有利に起こるように、オペレータ制御要素は、特に、位置決め手段に位置合わせされている。加えて、存在する静的なオペレータ制御要素が、特に、媒体上で印刷された形で存在するか、または入力インターフェース上で予め規定された位置に表示されることが望ましい。オペレータ制御要素、位置決め手段、及び／又はタッチ領域は、望ましくは、少なくとも１層の電気的に導電性の材料を有する。
【００３２】
加えて、システムが、タッチイベントの正確／不正確な位置決め及び／又は入力を報告するための視覚の、触覚の、触知性の、及び／又は聴覚の手段を使用する、入力インターフェース上のフィードバックシステムを組み込むことは有利である。これにより、正確な入力が保証されるように、入力がなされたかどうかをユーザーに容易に、かつ素早く伝えることを可能にする。
【００３３】
媒体は、プラスチック、紙、カード、ガラス、繊維、またはこれらの組み合わせからなるグループから選択された材料であることが望ましい。特に、媒体は、カード、木をベースにした材料、複合材料、セラミック、及び／又は革から作られていてもよい。媒体は、特に、望ましくは柔軟であり、低重量を有する電気的に非導電性の物質である。望ましくは、透明な媒体が使用される。望ましいプラスチックは、特に、ポリ塩化ビニル（ＰＶＣ）、ポリエチレンテレフタレート（ＰＥＴ）、ポリカーボネート（ＰＣ）、酢酸セルロース（ＣＡ）、ＰＥＴＸ、ポリプロピレン（ＰＰ）、延伸ポリプロピレン（ＯＰＰ）、ポリエチレン（ＰＥ）、及び合成紙を含む。
【００３４】
本発明のある望ましい実施形態では、入力インターフェースは、容量性の、及び／又は抵抗の技術に基づいた入力インターフェースである。本発明の意図の範囲内では、入力インターフェースは、タッチスクリーン、又はセンサースクリーンを有し、組み合わせた入力出力インターフェースの場合、特に、スクリーン上に、スクリーンの中に、またはスクリーンの後ろに配置され、使用される技術に応じて適切な指またはポインティングタッチペンによってユーザーからの接触に反応するタッチセンサー式の層(touch-sensitive layer)である。入力インターフェースは、直接のアクションを有する手段である。すなわち、例えばマウスまたはキーボードの場合と同様に、入力が、ディスプレイのそばというよりもむしろ、表示される空間で直接起こる。従って、スクリーンがユーザーインターフェースとして同時に使用され、外部の入力の電気器具によって間接的なルートを選択することは必要でないので、タッチスクリーンは、極めて直感的なオペレータ制御を提供する。入力インターフェースを有する電気器具は、望ましくは、タッチスクリーン、タッチパッド、スマートフォン、携帯電話、ディスプレイ、タブレット、パソコン、タブレットノート、タッチパッド電気器具、グラフィックタブレット、テレビ、ＰＤＡ、ＭＰ３プレイヤー、トラックパッド、及び容量性の入力インターフェースからなるグループから選択される。
【００３５】
入力インターフェース、及びタッチスクリーンは、最も一般的な抵抗の、及び容量性の技術を有する異なる原理のアクションに基づいている。例として、抵抗のタッチスクリーンは、「ドットスペーサ」として知られる、多数の絶縁スペーサによって互いに隔てられた、２つの向かい合った、透明な導電性のＩＴＯ（インジウムスズ酸化物）層からなっている。内側のＩＴＯ（インジウムスズ酸化物）層は、例えば固体のガラススクリーン上に配置され、外側の層は、柔軟な傷つきにくいプラスチックフィルムによって保護されている。
【００３６】
コントローラは、Ｘ方向の電圧勾配が、例えば内側の層で作られ、Ｙ方向の電圧勾配が、例えば外側の層で作られる結果、導電層に交互に電圧を加えるために使用される。スクリーンがタッチされるとすぐに、上側の層が下方に位置する層の上に押され、従って電気的な接触が行われ、それぞれの０ボルト層がライブ層(live layer)上で分圧器を形成する。前記分圧器の大きさは、ライブ層上のタッチポイントの位置から得られる。これより、対応するタッチポイントのＸ座標及びＹ座標を計算することが可能である。
【００３７】
一方、容量性の技術の場合、互いに平行に延びる導電材料からなるそれぞれの多数の導電トラックは、フィルムやガラスの基材からなる上面と底面のような２つの物理的に隔てられた平面に取り付けられる。キャパシタンスは、水平方向に延びる１つの平面の導電トラックと垂直方向に延びるもう１つの平面の導電トラックとの交差点で生じる。
【００３８】
１つの平面の導電トラック（伝送ライン）の電気的な作動により、第２平面の導電トラック（受け取りライン）上で測定可能な信号が作られる。例えば指を使用したユーザーによるシステム上のタッチは、受け取りラインからの信号が変更される結果として、伝送ラインと受け取りラインの静電結合に影響する。結果として起こるシグナルは、その後評価され、それぞれの伝送ラインと受け取りラインは、タッチの座標を決定するために使用される。シングルタッチに加えて、複数の指または入力要素がタッチイベントを始動させることができることを意味するマルチタッチ認識も可能である。入力インターフェースの目的は、先行技術で記載されたように、特に、入力インターフェースの表面上での指及び指の位置の検出である。
【００３９】
電気的に非導電性の媒体（少なくとも１層）が入力インターフェースと（１つ以上の指のような）入力手段との間に配置されているにもかかわらず、この効果が本発明にかかるシステムとともに得られることが、全体的に驚くべきことであった。本発明の意図の範囲内では、これは、入力インターフェース、媒体、及び入力手段を有する層構造として言及することもできる。すなわち、入力インターフェースは、入力インターフェース上に位置する電気的に非導電性の媒体を有する。先行技術は、例として、容量性のタッチスクリーン上の入力が電気的に導電性の手段の使用を必要とすることを当業者に示す。従って、タッチイベントが、電気的に非導電性の媒体によって、容量性の入力インターフェース上で始動されるので、本発明は、通常のものからの出発として言及することができる。加えて、容量性の、及び／又は抵抗の入力インターフェース上でタッチイベントを始動させるシステムが設けられている。従って、システムは、広く使用することができる。
【００４０】
媒体は、入力インターフェース上に媒体を配置するか、または入力インターフェースに対して媒体を配置することによって、入力インターフェースと容易に接触させることができる。当業者に知られる装着手段を用いて、特に可逆的に入力インターフェース上に媒体を装着することもできる。しかしながら、媒体は、入力インターフェース上でのタッチイベント、または、アクション、及び／又はイベントが始動されるまでのみ有利に、短時間のみ、入力インターフェースと接触することが望ましい。
【００４１】
本発明のさらに望ましい実施形態では、電気的に非導電性の媒体は、電気的に導電性の領域を備え、特に、電気的に非導電性の媒体が付加的に媒体に存在する電気的に導電性の領域を有する。幾何学的形状及び／又は線を保持する媒体が、望ましくは、電気的に非導電性ではあるが、媒体は電気的に導電性の、特に半導電の形で存在する領域を含めることができる。電気的に導電性の領域は、電気的に非導電性の領域から物理的に隔てられていてもよい。ここで引用された例は、明らかに基本的には、紙、すなわち、電気的に非導電性の材料からなる雑誌のページであるが、電気的に導電性のインクまたは層によって印刷された領域を少なくとも有することができる。例として、電気的に導電性の領域は、電気的に非導電性の層上の幾何学的形状及び／又は線と組み合わせて入力インターフェース上でタッチイベントを始動させるように、パターン化し、デザインすることができる。しかしながら、幾何学的形状、及び／又は線は、媒体の電気的に非導電性の領域の上に配置されている。
【００４２】
複数の層の電気的に非導電性の媒体は、特に互いに隣接して、かつ／又は互いの上方に、組み合わせて、入力インターフェースと接触することが望ましい。タッチイベントを入力インターフェース上で始動させるようにするために、媒体を入力インターフェースに接触させた後、ユーザーが両領域を相互作用させることを必要とする結果として、媒体は、電気的に非導電性の媒体の異なる領域を物理的に近接させるように、例えば、折り畳んだり、折り目を付けることもできる。複数の層が互いに隣接して存在する、ラミネート加工した媒体（例えば、販売場所で直立する厚紙）の場合でさえも、入力インターフェース上で入力を実現することが可能であることは、全体的に驚くべきことであった。
【００４３】
本発明は、以下のステップを備える入力インターフェースで少なくとも１つのタッチイベントを始動させる方法に関する。
ａ．少なくとも１層の電気的に非導電性の媒体を入力インターフェースのタッチセンサー領域と接触させ、
ｂ．層に存在する少なくとも１つの幾何学的形状が電気的に導電性の、または非導電の手段を用いてタッチされ、
ｃ．少なくとも１つのタッチイベントが入力インターフェース上で始動される。
【００４４】
望ましい方法は、特に、入力インターフェースを有する電気器具上でアクション及び／またはイベントを始動させるために使用することができる。
【００４５】
ある望ましい実施形態では、入力インターフェース上で少なくとも１つのタッチイベントを始動させる方法は、以下のステップを備える。
ａ．上で説明されたシステムの１層の媒体を入力インターフェースのタッチセンサー領域と接触させ、
ｂ．少なくとも１つのタッチイベントは、導電領域によって、入力インターフェース上で始動され、
ｃ．媒体の導電領域が、認識されるか、または特定され、
ｄ．オペレータ制御要素は、入力インターフェースのタッチセンサー領域上に位置合わせされる。オペレータ制御要素は、入力インターフェース上のどこかに有利に存在することができる。望ましくは、それらは、媒体、及び／又は電気的に導電性の領域に位置合わせされる。
ｅ．オペレータ制御要素の機能性が活性化される。
ｆ．少なくとも１つのさらなるタッチイベントが入力インターフェースのタッチセンサー領域上でユーザーによって始動される。
【００４６】
１層の電気的に非導電性の媒体は幾何学的形状または線を保持する。層または媒体は、入力インターフェース、特に入力電気器具のタッチセンサー領域と接触させる。入力電気器具は、タッチスクリーンとして言及され、望ましくは電気器具の一部分である。層または媒体上の少なくとも１つの形状または線は、電気的に導電性の、または非導電の手段によって接触されるか、またはタッチされる。入力、すなわち、層上の形状または線の接触のために、単独で、または使用を通して、受け取り領域の受け取り線または入力インターフェースの受け入れ電極上に影響を及ぼすことができ、従って入力インターフェース上で少なくとも１つのタッチイベントを始動させる入力手段が、望ましくは使用される。前記入力手段は、米国特許出願公開第２０１０／００６０６０８号明細書によって当業者に既に知られている。本発明の意図の範囲内の入力手段は、特に、指またはタッチペンである。
【００４７】
本発明にかかるシステム及び方法の不可欠な利点は、既に存在する印刷技術に組み入れることができる点である。例として、印刷技術を調整する必要なく、日々の新聞や定期刊行物の印刷にそれを組み込むことができる。
【００４８】
電気的に非導電性の層を用いた入力手段により、形状及び／又は線をタッチすることによって実現される効果は、タッチイベントが入力インターフェース上で始動される結果として、入力インターフェースとの相互作用である。本方法は、望ましくは、入力インターフェースを有する電気器具上で、または入力インターフェースそのものでアクション及び／またはイベントを始動させるために使用することができる。
【００４９】
電気的に非導電性の媒体の層は、静的に、動的に、一度、繰り返して、同時に、かつ／又は時間をかけてずらしていくやり方で、タッチされることが望ましい。すなわち、タッチは、例えばスワイプしたり、タッピングしたり、回転させたり、ドラッグしたり、押したりするような動的な動き、または静的なタッチとして実行することができる。ユーザーは、特に、一度、または繰り返して、層上に配置されている形状及び／または線をタッチすることができ、ユーザーが比較的長期間持続して接触し、層上で指または入力手段の位置を変更することによって、例えば点のような複数の形状を一度、または繰り返してタッチしなければならないか、または指または入力手段によって媒体上の線をたどらなければならないことが望ましい。加えて、タッチは同時に、かつ／又は時間をかけてずらしていくやり方で実行されることが望ましい。従って、入力は、シングルタッチ、マルチタッチの形で、またはジェスチャーの形で存在することができる。当業者はこれらの用語に馴染みがあり、本発明の技術的な教示の下でそれらを組み込むことができる。これに関して、タッチされるタッチ領域、およびタッチの順番が、入力インターフェース、及び／又は媒体によって示されているならば、望ましい。このため、順番は、例えば、ユーザーが連続したタッチ領域をタッチしなければならないように、媒体上で連続した数として表示することができる。
【００５０】
本発明は、入力インターフェースを有する電気器具上でアクション、及び／又はイベントを始動させるための、上述したシステムの使用に関する。システムの実施形態及び利点は、類似して使用に適用することができる。ある望ましい実施形態では、媒体及び／又は電気器具は、タッチされる領域、及びタッチの順番、タイプ、及びジェスチャーを示す。
【００５１】
本発明は、図面を参照し、以下の例を用いて説明されるが、これに限定されない。
【図面の簡単な説明】
【００５２】
【図１】Ａ−Ｄは入力インターフェース上で少なくとも１つのタッチイベントを始動させるための望ましい方法を示す。
【図２】タッチ領域の望ましい実施形態を示す。
【図３】タッチ領域の望ましい実施形態を示す。
【図４】タッチ領域の望ましい実施形態を示す。
【図５】タッチ領域の望ましい実施形態を示す。
【図６】タッチ領域の望ましい実施形態を示す。
【図７】減じる方法によって作成されたタッチ領域を示す。
【図８】減じたタッチ領域と追加したタッチ領域のナンバリングを示す。
【図９】Ａ−Ｂは入力インターフェースまたは媒体の位置決め手段を示す。
【図１０】文脈に依存する入力を示す。
【図１１】媒体のオペレータ制御要素の実施形態を示す。
【図１２】媒体のオペレータ制御要素の実施形態を示す。
【図１３】媒体のオペレータ制御要素の実施形態を示す。
【図１４】Ａ−Ｂは媒体の動的な入力を示す。
【図１５】媒体の動的な入力の別の変形実施形態を示す。
【図１６】オペレータ制御補助としての媒体を示す。
【発明を実施するための形態】
【００５３】
図１Ａ〜Ｄは入力インターフェース上で少なくとも１つのタッチイベントを始動させるための望ましい方法を示す。定期刊行物の紙ページであってもよい媒体１は、例えば、テキストだけでなく、タッチ領域２を有する領域も保持する。タッチ領域２は、望ましくは、点及び／又は線の形であってもよい。媒体１は、入力インターフェース３と接触させることができ（図１Ａ）、入力インターフェース３は、例えばタッチスクリーンであり、例えばスマートフォンである電気器具４の一部である。タッチ領域２が、望ましくは、入力インターフェース３上に存在するか、それと接触するように（図１Ｂ）、入力インターフェース３は、媒体１の下方に（または後ろに）持って来られる。タッチ領域２は、望ましくは、媒体１で使用するためのガイダンスとして存在する。ユーザーは、入力手段（例えば指）５によって、媒体１のタッチ領域２をタッチすることができ、それによって、入力インターフェース３上で１つ以上のタッチイベントを始動させることができる。本発明の意図の範囲内での入力手段５は、特に、指（図１Ｂ）、またはタッチペン（図１Ｃ）である。しかしながら、入力インターフェースの受け入れ線、受け入れ領域、または受け入れ電極の影響を、単独で、または使用を通してもたらすことができ、従って入力インターフェース上で少なくとも１つのタッチイベントを始動させる入力手段５を使用することは可能である。タッチイベントは、イベント及び/またはアクション、例えば、入力インターフェース３、または電気器具４（図１Ｄ）でのダウンロードを実現できる。
【００５４】
図２から図６は、タッチ領域の望ましい実施形態を示す。タッチ領域２は、望ましくは媒体１上に存在し、媒体１は、電気的に非導電性の媒体１であり、特に紙である。タッチ領域１は、付加的な方法によって、媒体１に配置することができる。望ましくは、タッチ領域２は、テキストのレイアウトや読みやすさに不利に影響を与えないように媒体１のテキストの中に組み込まれて、媒体１に印刷されている。ユーザーによる媒体１のオペレータ制御を容易にするために、タッチ領域２は、媒体１のガイダンスとして存在してもよい。例として、媒体１が入力インターフェース上にあるとき（図３）に個々のタッチ領域２がタッチされることを必要とする順番をユーザーに示す数をタッチ領域２が備えるならば、望ましい。色やレイアウト（図４）によって、媒体１上で強調されることが、タッチ領域２に対するオペレータ制御に有利である。ガイダンス、すなわちユーザーへのユーザーガイダンスは、点及び／又は線の形である個々のタッチ領域２のみがタッチされることを必要とする形であってもよい。加えて、複数のタッチ領域２は、連続して、または同時にタッチされることが有利である。この場合、タッチ領域２は、ユーザーが、入力手段と入力インターフェース（図５及び図６）との接触を中断することなく連続して、点の形の連続したタッチ領域２をタッチすることを必要とするような形であってもよい。結果として、入力手段によって”トレーシング”するための単純なパターンが提供された結果、ユーザーは、媒体１または入力インターフェース上で線をたどることができる。これらのパターンは、会社のロゴ、イメージ、または他の提示であってもよい。タッチ領域２のオペレータ制御のためのガイダンスは、形状、色、または配置で表示することができる。タッチ領域２は、減らす方法によって発生させることが望ましい。この場合、タッチ領域２は、例えば、媒体からパンチされるか、または、他の減らす方法（図７）によって除去することができる。従って、タッチ領域２は、ユーザーにタッチされる媒体の中の孔であってもよく、この方法では、タッチイベントは、入力インターフェース上で始動される。加えて、媒体のタッチ領域２（図７）を作るために、減らす方法、及び増やす方法を組み合わすことが有利である。タッチイベントを発生させるために、ユーザーが規定された順番でタッチ領域２をタッチすることを必要とする結果として（図８）、パンチされたタッチ領域２は、同様に、印刷された数を有することができる。
【００５５】
図９Ａ及び図９Ｂは、入力手段または入力インターフェースの位置決め手段を示す。ユーザーが入力インターフェース３上での媒体を位置決めするか、または媒体１の下に入力インターフェース３を位置決めすることをより容易にするために、入力インターフェース３及び／または媒体は、１つ以上の位置決め手段６を有していてもよい。位置決め手段６は、触知性の、触覚の、視覚の、聴覚の、あるいは機械的な手段であってもよい。例として、媒体１は、媒体１を入力インターフェース３の特定の位置に持ってくるために使用される位置決め手段６として、１つの縁を有していてもよい。位置決め手段６としての縁は、電気器具４に有利に隣接する。例えば、位置またはフィールドが、媒体１を横たえる、または置くことを必要とする位置的なフィールドの、入力電気器具３上で視覚的に表示されることが望ましい。これにより、ユーザーにとって、媒体１の使用をかなり単純化することができる。本発明の意図の範囲内の位置決め手段は、特に、移動（位置）、回転、速度、加速、及び（トラッキング計算の結果としての）激しい動きで構成されるリファレンスを作るための情報を規定する。トラッキングは、技術システムでのマッピングのための捕捉された実際の動きのトラッキングを特に意味する。
【００５６】
図１０は、文脈に依存した入力を示す。文脈に関して、媒体との相互作用は、望ましくは、文脈に関連する機能と、文脈のない機能とに分割されている。図に示すように、機能は、残りの部分の位置に基づいて変更できる。それに反して、機能は、異なる媒体の結果として変更できる。このようにして、異なるユーザーを相互作用で関連付けることは可能である。２つの文脈領域は、同一媒体のデザインで、入力インターフェース１（例えばマルチタッチの電気器具）上で示される。オペレータ制御要素７の残りの部分の位置に応じて、異なるオプションが入力インターフェース上で起動され、表示される。文脈領域Ａの内側では、オプション１とオプション２が起動される（左）。一方、オプション１，２，３，４が文脈領域Ｂ（右）で利用可能である。この点で、媒体が電気的に導電性の領域または層を備える望ましい実施形態では、オペレータ制御要素を方向付ける、または位置決めするために電気的に導電性の領域または層を使用することができることが、全体的に驚くべきことであった。すなわち、媒体を入力インターフェースと接触させることによって、オペレータ制御要素を、入力インターフェース上の媒体の位置に最適に一致させ、ユーザーのために入力インターフェース上で表示することが可能である。
【００５７】
図１１〜１３は、媒体上のオペレータ制御要素の実施形態を示す。ネットワークユーザー識別子(NUI)や、グラフィカルユーザーインターフェース(GNI)とは対照的に、本発明にかかるオペレータ制御要素は、触覚の、かつ触知性の認知によりよく対処できる。これに関連して、以下の特性が、視覚的な形に加えて望ましい。視覚的な形は、媒体表面の、またはオペレータ制御要素表面（滑らか、または粗い）の表面構造の微妙な変化、媒体のレリーフまたはエンボス、異なる材料の使用、切り欠きまたは打ち抜いた領域（図１２参照）である。しかしながら、オペレータ制御要素７のこれらの特性により、例として、入力インターフェース３上で異なるアクションをもたらす、同一のオペレータ制御要素７を有する２つの媒体１を実装することを可能にする。オペレータ制御要素のこれらの特性は、触知性の、触覚のコンポーネントを有する媒体に拡張することもできる。例として、相互作用領域は、レリーフ構造によって、制限されるか、または限定されることが望ましい。これにより、許容された相互作用領域は、滑らかな面で信号が送られることが可能であろう。例として、スライド制御のドラッグアンドドロップ領域（図１３参照）は、滑らかな面で構成されることが考えられる。図１３は、オペレータ制御要素７と入力インターフェース３の対話型コンポーネントとを有する媒体１上の２つのスライド制御を示す。ユーザーは、「パラメータＢ」のラベルによってスライド制御の値を変更する。
【００５８】
図１４Ａ−Ｂは、媒体上での動的な入力を示す。動的な入力のために、媒体のオペレータ制御要素７は、下部のタッチスクリーン（入力インターフェース３）の動的な内容(dynamic contents)に対するスペーサとして使用できる。図に示すように、媒体は、オペレータ制御要素７、またはタッチ領域２がタッチされることを必要とする順番をユーザー（＝入力手段５）に指示する、オペレータ制御要素７としての数字を含む。これは、例えば、媒体の指示された数字のシーケンス（図１４Ｂ，左）、及び入力インターフェースの動的な数字のシーケンス（図１４Ｂ，右）とともにパスワードを要求するために使用できる。
【００５９】
図１５は、媒体３のオペレータ制御要素７、及びインターフェース１、例えばスクリーンの動的な内容のレイアウトの別の変形実施形態を示す。動的な内容は、オペレータ制御要素７に関連した同じ位置で常に表示される。これは、例えばメニューのコンポーネントを変更するために使用できる。同一媒体が置かれると、メニューＡ−Ｅが、週の一定の日に表示され、メニューＡ−Ｃが、週の他の日に表示される。
【００６０】
図１６は、オペレータ制御補助としての媒体の使用を示す。媒体１は、点字レリーフのエンボスが設けられたオペレータ制御要素７を有することができ、それゆえに、入力インターフェース３で入力を行うことができるように、視覚障害者のためのポインターとして使用できる。
【符号の説明】
【００６１】
１  電気的に非導電性の媒体
２  タッチ領域
３  入力インターフェース
４  電気器具
５  入力手段
６  位置決め手段
７  オペレータ制御要素
【図１】
2015509225.tif 000003
【図２】
2015509225.tif 000004
【図３】
2015509225.tif 000005
【図４】
2015509225.tif 000006
【図５】
2015509225.tif 000007
【図６】
2015509225.tif 000008
【図７】
2015509225.tif 000009
【図８】
2015509225.tif 000010
【図９Ａ】
2015509225.tif 000011
【図９Ｂ】
2015509225.tif 000012
【図１０】
2015509225.tif 000013
【図１１】
2015509225.tif 000014
【図１２】
2015509225.tif 000015
【図１３】
2015509225.tif 000016
【図１４】
2015509225.tif 000017
【図１５】
2015509225.tif 000018
【図１６】
2015509225.tif 000019
【国際調査報告】
2015509225.tif 000020
2015509225.tif 000021
2015509225.tif 000022
2015509225.tif 000023
2015509225.tif 000024
2015509225.tif 000025